(57)【要約】  【課題】  本発明は、簡単な構造であるとともに、流入する流体に対して主軸の周方向に旋回流を与えることのできる遠心圧縮機を提供することを目的とする。  【解決手段】  インペラ２を回転させて圧縮させる遠心圧縮機１０において、インペラ２に流体を供給する吸込流路３を内含するチャンバ型の入口吸込ケーシング４が備えられる。この入口吸込ケーシング４に対して、吸込口となる円筒部４ａが設けられて、主軸１の径方向から流体が供給されるとき、蝶弁式ＩＧＶを設けた短管６を設置することで、流体に旋回流を与える。【選択図】      図１
2008144725.tif 000002
【特許請求の範囲】
【請求項１】
回転駆動する主軸と、該主軸の外周面に設置される複数の羽根車と、該羽根車に流体を供給する吸込流路と、該吸込流路を内含するとともに前記主軸を中心とした輪形状の空間を備えた入口吸込ケーシングと、前記入口吸込ケーシングの前記空間に対して前記流体を供給する吸込口と、を備え、前記吸込口が前記流体を供給する方向が前記主軸の径方向である遠心圧縮機において、
前記吸込口に設けられて回転して前記吸込口の開閉を行うとともに、その軸が前記主軸と平行となる蝶弁式入口ガイド翼を備え、
前記蝶弁式入口ガイド翼が、その翼面が前記主軸の径方向と垂直となるときに全閉状態となるとともに、その翼面が前記主軸の径方向と平行となるときに全開状態となることを特徴とする遠心圧縮機。
【請求項２】
前記蝶弁式入口ガイド翼が１つであり、その面形状が前記吸込口の断面形状と一致する形状であることを特徴とする請求項１に記載の遠心圧縮機。
【請求項３】
前記蝶弁式入口ガイド翼が複数であり、当該複数の蝶弁式入口ガイド翼が前記主軸の径方向及び軸方向共に垂直となる方向に並んで設置され、前記複数の蝶弁式入口ガイド翼の面を合わせた形状が前記吸込口の断面形状とほぼ一致する形状であることを特徴とする請求項１に記載の遠心圧縮機。
【請求項４】
前記蝶弁式入口ガイド翼を翼形状とすることを特徴とする請求項１〜請求項３のいずれかに記載の遠心圧縮機。
【請求項５】
前記吸込口が円柱形状となる円筒によって構成されることを特徴とする請求項１〜請求項４のいずれかに記載の遠心圧縮機。
【請求項６】
前記吸込口が円錐台形状となる円筒によって構成されることを特徴とする請求項１〜請求項４のいずれかに記載の遠心圧縮機。
【請求項７】
前記吸込口に接続される短管を備え、
前記蝶弁式入口ガイド翼が前記短管の前記吸込口との接続部分付近に設置されることを特徴とする請求項１〜請求項６のいずれかに記載の遠心圧縮機。
【請求項８】
前記吸込口に接続される短管を備え、
前記蝶弁式入口ガイド翼が前記短管の軸方向の中心位置に設置されることを特徴とする請求項１〜請求項６のいずれかに記載の遠心圧縮機。
【発明の詳細な説明】
【技術分野】
【０００１】
本発明は、羽根車の回転によって流体を圧縮する遠心圧縮機、特に、ターボ冷凍機やプラントに圧縮した流体を供給する遠心圧縮機に関するものである。
【背景技術】
【０００２】
従来より、冷却した冷水を循環させる空調設備の冷凍装置として、圧縮機により圧縮した冷媒と熱交換させて冷水を冷却するターボ冷凍機が用いられている。このターボ冷凍機では、冷水と熱交換させる冷媒を圧縮する圧縮機として、羽根車の回転によって冷媒を圧縮する遠心圧縮機が使用される。そして、遠心圧縮機は、羽根車が設けられた回転軸を回転させることで、吸込口から吸い込まれた流体である冷媒を圧縮した後、冷媒を凝縮・液化させる凝縮器に排出する。
【０００３】
このような遠心圧縮機として、本出願人は、複数段の羽根車を設けた多段式の遠心圧縮機において、吸込口から吸気される冷媒の流量を制御する可動型の入口ガイド翼（ＩＧＶ：Inlet Guide Vane）が設置されたものを提案している（特許文献１参照）。この特許文献１の遠心圧縮機では、可動型ＩＧＶを吸込口に設け、冷媒の流れ方向とほぼ平行となる全開位置と、冷媒の流れ方向とほぼ垂直となる全閉位置との間で、可動型ＩＧＶによる弁開度が調整されることで、吸込口からの流入量が調整される。
【０００４】
又、特許文献１の遠心圧縮機において、吸込口は、羽根車を回転させる軸の先端側に設けられ、そして、その開口する方向が、軸に対して平行な方向に設けられる。このような遠心圧縮機は、容量の小さな小型の冷凍機に使用される。それに対して、大容量となる大型の冷凍機に用いられる遠心圧縮機おいては、その開口する方向が軸に対して垂直な方向とされ、軸の先端側で屈曲して冷媒を誘導する吸込口が設置されるものが多い。このような大型の冷凍機やプラントで用いられる遠心圧縮機の吸込口近傍の構成を、図１２に示す。
【０００５】
大型の冷凍機やプラントなどに使用される従来の遠心圧縮機は、図１２に示すように、羽根車（インペラ）２が外周面に設置された主軸１の軸方向に対して、インペラ２の上流側に、上流に向かうほど径が広くなるように開口した吸込流路３が形成される。そして、この吸込流路３を内含する空間を備えるように、チャンバ型の入口吸込ケーシング４が構成される。この入口吸込ケーシング４は、上方が開口されて上方に延長された吸込口となる円筒部４ａが設けられるとともに、円筒部４ａの先端に円筒部４ａの外周側に伸びたリング状の入口フランジ４ｂが設けられる。
【０００６】
又、吸込流路３には、可動型ＩＧＶ５０が主軸１の周方向に複数設けられ、この可動型ＩＧＶ５０が、主軸１の軸方向（流体の流れる方向）に対して角度が変更される。そして、この可動型ＩＧＶ５０の角度を変更するために回転させるＩＧＶ可動機構５１と、ケーシング４外部からＩＧＶ可動機構５１と接続されて可動型ＩＧＶ５０の回転角を伝えるＩＧＶ駆動軸５２と、が設けられる。
【０００７】
この従来の遠心圧縮機は、上方の入口フランジ４ｂより流体が流入すると、吸気された流体は、入口吸込ケーシング４内部を主軸１の周方向に周回するとともに、入口吸込ケーシング４内に設けられた吸込流路３に流入する。このとき、ＩＧＶ駆動軸５２を通じて外部より設定された角度がＩＧＶ可動機構５１に伝達されるため、ＩＧＶ可動機構５１によって可動型ＩＧＶ５０が回動されて、軸方向に対する角度が設定された角度とされる。
【０００８】
そして、この可動型ＩＧＶ５０により吸込流路３に流入し、更に、インペラ２の回転によって、吸込流路３に流入した流体が圧縮され、下流側のディフューザ５に排出されると、ディフューザ５から下流側では、流体の流れの速度を減少させて運動エネルギーが圧力エネルギーに変換される。このように圧縮された流体が、複数段の遠心圧縮機では、次段に設けられるインペラへ供給され、又、単段の遠心圧縮機では、外部へ排気するための排気口まで導かれる。
【０００９】
図１２のように、可動型ＩＧＶ５０を設けることによって、インペラ２の上流に付加する旋回流を変化させることができ、運転流量レンジを拡大制御することができる。即ち、可動型ＩＧＶ５０の角度を変えることにより、旋回流の大きさが変わり、インペラ２の回転方向に対する旋回流の流れが大きくなるほど、圧縮機のサージ点が小流量側へずれる。これにより、圧縮機の流量作動範囲全体が小流量側へずれることとなり、広い運転流量レンジが得られることとなる。
【特許文献１】特開２００３−３０７１９７号公報
【特許文献２】特開２０００−３１４３９６号公報
【発明の開示】
【発明が解決しようとする課題】
【００１０】
しかしながら、図１２の遠心圧縮機のように、可動型ＩＧＶ５０を周方向に複数設ける場合、各可動型ＩＧＶ５０に対して、ＩＧＶ可動機構５１及びＩＧＶ駆動軸５２を設ける必要がある。このＩＧＶ可動機構５１及びＩＧＶ駆動軸５２は、その構造が複雑であり、部品点数も多い。そのため、入口吸込ケーシング４内の構造が複雑化することとなり、その結果、その製造工程が煩雑なものとなる。又、既に据え付けられた遠心圧縮機に対して、可動型ＩＧＶを追加で取り付ける場合には、機構が複雑であるため、その取り付けが困難なものとなる。
【００１１】
更に、図１２に示すように、ＩＧＶ駆動軸５２は、主軸１と平行となるように設置されるが、このＩＧＶ駆動軸５２の設置位置が、入口吸込ケーシング４内を流れる冷媒の流れを妨げる位置となる。そのため、入口吸込ケーシング４内を流れる冷媒に対して、ＩＧＶ駆動軸５２が抵抗となる。
【００１２】
このような問題を鑑みて、本発明は、簡単な構造であるとともに、流入する流体に対して主軸の周方向に旋回流を与えることのできる遠心圧縮機を提供することを目的とする。
【課題を解決するための手段】
【００１３】
上記目的を達成するために、本発明の遠心圧縮機は、回転駆動する主軸と、該主軸の外周面に設置される複数の羽根車と、該羽根車に流体を供給する吸込流路と、該吸込流路を内含するとともに前記主軸を中心とした輪形状の空間を備えた入口吸込ケーシングと、前記入口吸込ケーシングの前記空間に対して前記流体を供給する吸込口と、を備え、前記吸込口が前記流体を供給する方向が前記主軸の径方向である遠心圧縮機において、前記吸込口に設けられて回転して前記吸込口の開閉を行うとともに、その軸が前記主軸と平行となる蝶弁式入口ガイド翼を備え、前記蝶弁式入口ガイド翼が、その翼面が前記主軸の径方向と垂直となるときに全閉状態となるとともに、その翼面が前記主軸の径方向と平行となるときに全開状態となることを特徴とする。
【００１４】
このような遠心圧縮機において、前記蝶弁式入口ガイド翼の傾きを、全開位置から前記主軸の回転方向と逆方向に回転させることにより、前記入口吸込ケーシングに供給する流体に旋回流を与えることができる。
【００１５】
そして、前記蝶弁式入口ガイド翼を１つとし、その面形状が前記吸込口の断面形状と一致する形状とするものとしても構わないし、記蝶弁式入口ガイド翼が複数とし、当該複数の蝶弁式入口ガイド翼が前記主軸の径方向及び軸方向共に垂直となる方向に並んで設置するとともに、前記複数の蝶弁式入口ガイド翼の面を合わせた形状が前記吸込口の断面形状とほぼ一致する形状としても構わない。
【００１６】
又、前記蝶弁式入口ガイド翼を翼形状としても構わない。更に、前記吸込口が円柱形状となる円筒によって構成されるものとしても構わないし、前記吸込口が円錐台形状となる円筒によって構成されるものとしても構わない。
【００１７】
又、前記吸込口に接続される短管を備えるものとするとき、前記蝶弁式入口ガイド翼が前記短管の前記吸込口との接続部分付近に設置されるものとしても構わないし、前記蝶弁式入口ガイド翼が前記短管の軸方向の中心位置に設置されるものとしても構わない。
【発明の効果】
【００１８】
本発明によると、その軸が主軸と平行となるように、蝶弁式入口ガイド翼を吸込口に設けることで、供給する流体に旋回流を与えることができる。よって、従来のように主軸の周方向に複数のＩＧＶを吸込流路に設ける場合と比べて、その設置工程を簡単化することができるとともに、既に据え付けられた遠心圧縮機に対しても簡単に追加することができる。
【発明を実施するための最良の形態】
【００１９】
＜第１の実施形態＞
本発明の第１の実施形態について、図面を参照して説明する。図１は、本実施形態の遠心圧縮機の構成を示す軸方向の断面図である。図２は、図１の遠心圧縮機の入口吸込ケーシングにおける軸方向に垂直な面となる断面図である。
【００２０】
図１の遠心圧縮機１０は、不図示の電動機などからの回転が伝達されて回転する主軸１と、主軸１の周方向に複数配置されたインペラ２と、インペラ２に対して流体を供給する吸込流路３と、吸込流路３を内含するチャンバ型の入口吸込ケーシング４と、インペラ２で圧縮された流体の速度を減少されて運動エネルギーを内部エネルギーに変換するディフューザ５と、入口吸込ケーシング４の上側に接続される円筒形状の短管６と、入口吸込ケーシング４と短管６との接続部分付近の内部に設置される蝶弁式ＩＧＶ７と、を備える。
【００２１】
入口吸込ケーシング４は、図２に示すように、主軸１の軸方向に伸びた円筒形状を構成し、その上方の一部が開放されるとともに上方に伸びた吸込口となる円筒部４ａを備え、この円筒部４ａの先端には、円筒部４ａの外周側に伸びたリング状の入口フランジ４ｂが設けられる。又、図１に示すように、上流側及び下流側それぞれに、主軸１の軸方向に対して垂直な面で構成される壁４ｃ，４ｄが設けられる。
【００２２】
そして、上流側の壁４ｃから円筒状に突起した突起部４ｅが構成されることで、この突起部４ｅによって、インペラ２よりも上流側において主軸１の外周を覆われる。又、下流側の壁４ｄからも円筒状に突起した突起部４ｆが突起部４ｅの外周を覆うように構成されることで、突起部４ｅの外周面と突起部４ｆの内周面との間に、吸込流路３が形成されることとなる。突起部４ｆが形成される壁４ｄよりも下流側において、入口吸込ケーシング４を一部とするケーシング４０の内部に、吸込流路３を流れる流体を流す流路が構成される。このケーシング内に構成される流路上に、インペラ２が設置されるとともに、ディフューザ５が形成される。
【００２３】
この図１及び図２に示す構成の遠心圧縮機１０において、蝶弁式ＩＧＶ７は、短管６において、円筒部４ａとの接続部分近傍に設置される。即ち、図２に示すように、短管６が円筒部４ａの入口フランジ４ｂと接続するためのリング状のフランジ６ａを備えるとともに、このフランジ６ａの直上に、蝶弁式ＩＧＶ７の駆動軸７ａが、その軸方向が主軸１の軸方向と平行となるように設置される。そして、この駆動軸７ａを中心として短管６の内壁面と同形状となる円形の翼７ｂによって、蝶弁式ＩＧＶ７が構成される。即ち、蝶弁式ＩＧＶ７が、円形状の翼７ｂに対して、主軸１の軸方向と平行な直径位置に駆動軸７ａを貫通した構成となる。
【００２４】
このように構成される蝶弁式ＩＧＶ７は、図２に示すように、翼７ｂが駆動軸７ａを中心とした円上を回転駆動させることで、短管６を通じて入口吸込ケーシング４内に流入させる流体の流量が設定される。即ち、図３のように、翼７ｂの面が主軸１の径方向に垂直な面となるとき、翼７ｂの全外周面が短管６の内壁面に当接することとなり、全閉状態となる。逆に、図４のように、翼７ｂの面が主軸１の径方向と平行な面となるとき、翼７ｂの駆動軸７ａ部分のみが短管６の内壁面に当接することとなり、全開状態となる。よって、駆動軸７ａにより翼７ｂを回転させて翼７ｂの角度を変更して、図３の全閉状態と図４の全開状態の間として、流体の流量を制御することができる。
【００２５】
主軸１が反時計回りで駆動してインペラ２による流体の圧縮が成されているとき、図２に示すように、蝶弁式ＩＧＶ７の翼７ｂを駆動軸７ａにより反時計回りに回転させて、図３の全閉状態から図４の全開状態までの間の角度に傾ける。このように翼７ｂを傾けることで、短管６の上方より流入される流体に対して、蝶弁式ＩＧＶ７の翼７ｂの傾いた方向に沿った流れを与えることができる。即ち、入口吸込ケーシング４のフランジ４ｂとの接続部分付近において、主軸１と駆動軸７ａを結ぶ直線Ｘの左右における流体の流れに対して、旋回流を生じさせることができる。
【００２６】
そして、蝶弁式ＩＧＶ７の翼７ｂの傾いた方向に沿った流れが与えられて直線Ｘの左右の流れに不均一性を備えた流体が、入口フランジ４ｂから入口吸込ケーシング４内に流入される。よって、入口吸込ケーシング４内に円筒部４ａを通じて流体が流入されるが、この流体が主軸１を中心とした周方向に対して反時計回りの方向に流れが与えられることとなる。これにより、入口吸込ケーシング４の内壁に沿って反時計回りの方向に回転するように流れて、旋回流が発生し、入口吸込ケーシング４内の吸込流路３には、旋回流を備えた流体が供給されることとなる。
【００２７】
このように、本実施形態によると、従来のように、吸込流路３に対して可動型ＩＧＶを複数設ける代わりに、蝶弁式ＩＧＶ７を入口吸込ケーシング４の上流側に設けることで、吸込流路３に流れ込む流体に対して、簡単に旋回流を与えることができる。即ち、従来の構造と比べて簡単な構造によって流体に旋回流を与えることができるため、その製造を簡単化することができるだけでなく、既に据え付けられた遠心圧縮機についても簡単に追加で取り付けることができる。
【００２８】
尚、蝶弁式ＩＧＶ７の翼７ｂについては、図５（ａ）に示すように、その厚みがほぼ同じ板形状のものとしても構わないし、図５（ｂ）に示すように、上流側の厚みが厚くなるように形成された翼形状のものとしても構わない。翼７ｂを図５（ｂ）のような翼形状とする場合は、上流側の前端側が厚くなるとともに、下流側の後端が薄くなるような形状とされる。
【００２９】
又、本実施形態では、蝶弁式ＩＧＶ７の駆動軸７ａが、図２に示すように、短管６の入口吸込ケーシング４との接続位置付近に設置されるものとしたが、図６に示すように、短管６の中央位置に駆動軸７ａが配置されるように、蝶弁式ＩＧＶ７が設置されるものとしても構わない。このように、短管６の中央位置に駆動軸７ａが配置されるものとすることで、蝶弁式ＩＧＶ７を短管６内に収めることができる。そして、この蝶弁式ＩＧＶ７が設置された短管６を入口吸込ケーシング４に接続するだけで、蝶弁式ＩＧＶ７の追加を行うことができる。
【００３０】
それに対して、図２に示すように、駆動軸７ａが短管６の入口吸込ケーシング４との接続位置付近に設置されるようにした場合、蝶弁式ＩＧＶ７が入口吸込ケーシング４の近くに設置されるため、減衰が少ない旋回流を流入させることができる。
【００３１】
更に、本実施形態では、入口吸込ケーシング４が、図２に示すように、短管６が接続される部分を円柱形状の円筒部４ａとしたが、この円筒部４ａの代わりに、図７に示すように、円錐台形状の円筒部４１ａとしても構わない。即ち、この円筒部４１ａは、先端に設置される入口フランジ４ｂに向かって断面が狭くなる一方、主軸１に向かって断面が広くなるように、構成される。このように構成することで、蝶弁式ＩＧＶ７により設定される流体の流れを、入口吸込ケーシング４で旋回させる方向に維持して流入させることができる。
【００３２】
＜第２の実施形態＞
本発明の第２の実施形態について、図面を参照して説明する。図８は、本実施形態の遠心圧縮機の入口吸込ケーシングにおける軸方向に垂直な面となる断面図である。尚、本実施形態の遠心圧縮機において、第１の実施形態の遠心圧縮機と同一の目的で使用する部分については、同一の符号を付してその詳細な説明は省略する。
【００３３】
本実施形態の遠心圧縮機１０ａは、第１の実施形態の遠心圧縮機１０における蝶弁式ＩＧＶ７の代わりに、図８に示すように、蝶弁式ＩＧＶ７を３分割した形状の蝶弁式ＩＧＶ７１〜７３が短管６に設けられた構成となる。即ち、主軸１と平行となる３本の駆動軸７１ａ〜７１ｃが、短管６のフランジ６ａの直上となる同じ高さ位置において、主軸１及び短管６それぞれの軸方向垂直となる方向に対して同一間隔となるように設置される。
【００３４】
そして、駆動軸７１ａを翼７１ｂの中心位置に設置することで、蝶弁式ＩＧＶ７１が構成され、駆動軸７２ａを翼７２ｂの中心位置に設置することで、蝶弁式ＩＧＶ７２が構成され、駆動軸７３ａを翼７３ｂの中心位置に設置することで蝶弁式ＩＧＶ７３が構成される。即ち、図９に示すように、翼７１ｂ〜７３ｂが、円形の翼７ａを駆動軸７１ａ〜７３ａに対して垂直な方向に３分割した形状とされ、翼７１ｂ，７３ｂが３分割された端側の翼、翼７２ｂが３分割された中心側の翼である。尚、図９は、翼７１ｂ〜７３ｂを水平な面として、短管６において蝶弁式ＩＧＶ７１〜７３を全閉とした状態ときの図であり、翼７１ｂ〜７３ｂそれぞれの端辺が接触した状態となる。
【００３５】
又、翼７１ｂ，７３ｂにおいて、その駆動軸７１ａ，７１ｃに平行な長さが、駆動軸７１ａ，７１ｃに垂直な方向のいずれの位置においても、駆動軸７１ａ，７１ｃが設置される位置の長さ以下の長さとされる。即ち、図９の全閉としたときの構成で示すように、翼７１ｂ，７３ｂの駆動軸７１ａ，７１ｃに平行な長さについて、駆動軸７１ａ，７１ｃに垂直な方向において中心となる位置から翼７２ｂと隣接する端辺位置までの部分では、駆動軸７１ａ，７１ｃに垂直な方向において中心となる位置の長さで一定とされる。
【００３６】
そして、蝶弁式ＩＧＶ７１〜７３それぞれを全開としたときは、図１０に示すように、翼７１ｂ〜７３ｂそれぞれを、主軸１の径方向と平行な面とする。このとき、翼７１ｂ〜７３ｂが、翼７ｂを等間隔に３分割した形状となるため、短管６の軸方向の長さが、翼７ｂに比べて短くなる。又、短管６内部の空間が、駆動軸７１ａ〜７３ｂの位置の翼７１ｂ〜７３ｂによって、４分割されることとなる。
【００３７】
このように構成されるとき、主軸１が反時計回りで駆動してインペラ２による流体の圧縮が成されている場合、蝶弁式ＩＧＶ７１〜７３において、翼７１ｂ〜７３ｂを駆動軸７１ａ〜７３ａにより反時計回りに回転させて、図９の全閉状態から図１０の全開状態までの間の角度に傾ける。これにより、短管６の上方より流入される流体の流れを分割するとともに、蝶弁式ＩＧＶ７１〜７３の翼７１ｂ〜７３ｂの傾いた方向に沿った流れを与えることができる。
【００３８】
そして、蝶弁式ＩＧＶ７１〜７３の翼７１ｂ〜７３ｂの傾いた方向に沿った流れが与えられた流体が、入口フランジ４ｂから入口吸込ケーシング４内に流入される。よって、入口吸込ケーシング４内に円筒部４ａを通じて流体が流入されるが、この流体が主軸１を中心とした周方向に対して反時計回りの方向に流れが与えられることとなる。これにより、入口吸込ケーシング４の内壁に沿って反時計回りの方向に回転するように流れて、旋回流が発生し、入口吸込ケーシング４内の吸込流路３には、旋回流を備えた流体が供給されることとなる。このとき、入口吸込ケーシング４に流れ込む流体の流れが翼７１ｂ〜７３ｂによって分割されるため、入口吸込ケーシング４での旋回流の生成が促進される。
【００３９】
尚、本実施形態においても、第１の実施形態と同様、蝶弁式ＩＧＶ７１〜７３の翼７１ｂ〜７３ｂについて、図１１（ａ）に示すように、その厚みがほぼ同じ板形状のものとしても構わないし、図１１（ｂ）に示すように、上流側の厚みが厚くなるように形成された翼形状のものとしても構わない。又、短管６の中央位置に駆動軸７１ａ〜７３ａが配置されるように、蝶弁式ＩＧＶ７１〜７３が設置されるものとしても構わない。更に、入口吸込ケーシング４の円筒部を、円錐台形状のものとしても構わない。
【産業上の利用可能性】
【００４０】
本発明は、流体を圧縮する遠心圧縮機に適用可能である。又、圧縮した流体を利用するために、遠心圧縮機が設置されたターボ冷凍機や各種化学・ガスプラントに適用可能である。
【図面の簡単な説明】
【００４１】
【図１】は、第１の実施形態の遠心圧縮機の構成を示す軸方向の断面図である。
【図２】は、図１の遠心圧縮機の入口吸込ケーシングにおける軸方向に垂直な面となる断面図である。
【図３】は、図１の遠心圧縮機の蝶弁式ＩＧＶを全閉としたときの構成を示す図である。
【図４】は、図１の遠心圧縮機の蝶弁式ＩＧＶを全開としたときの構成を示す図である。
【図５】は、図１の遠心圧縮機の蝶弁式ＩＧＶの翼の構成を示す図である。
【図６】は、蝶弁式ＩＧＶの設置位置を変更したときの構成例を示す図である。
【図７】は、入口吸込ケーシングを別の形状としたときの構成例を示す図である。
【図８】は、第２の実施形態の遠心圧縮機の入口吸込ケーシングにおける軸方向に垂直な面となる断面図である。
【図９】は、図８の遠心圧縮機の蝶弁式ＩＧＶを全閉としたときの構成を示す図である。
【図１０】は、図８の遠心圧縮機の蝶弁式ＩＧＶを全開としたときの構成を示す図である。
【図１１】は、図８の遠心圧縮機の蝶弁式ＩＧＶの翼の構成を示す図である。
【図１２】は、従来の遠心圧縮機の構成を示す軸方向の断面図である。
【符号の説明】
【００４２】
１    主軸
２    インペラ
３    吸込流路
４    入口吸込ケーシング
５    ディフューザ
６    短管
１０，１０ａ    遠心圧縮機
７    蝶弁式ＩＧＶ
【図１】
2008144725.tif 000003
【図２】
2008144725.tif 000004
【図３】
2008144725.tif 000005
【図４】
2008144725.tif 000006
【図５】
2008144725.tif 000007
【図６】
2008144725.tif 000008
【図７】
2008144725.tif 000009
【図８】
2008144725.tif 000010
【図９】
2008144725.tif 000011
【図１０】
2008144725.tif 000012
【図１１】
2008144725.tif 000013
【図１２】
2008144725.tif 000014